(57)【要約】【課題】洗浄する小物類が無いとき、小物入れにも食器類がセットでき、スペースを有効活用できる食器洗い機を提供する。【解決手段】洗浄槽１と、前記洗浄槽１内に配され食器類１０を収納する下段カゴ５と、小物類１１を収納する小物入れ７を備え、前記小物入れ７の上面に開口部２０と載置部２１を設けたもので、使用者が小物入れ７に小物類１１をセットしようとする時は、開口部２０から小物類１１を入れて、従来通り小物類１１がセットでき、小物類１１をセットしない場合、使用者は、小物入れ７の上面に設けた載置部２１に食器類１０をセットできるものである。なお、食器類１０を載置部２１に伏せ置きすれば、載置部２１はフラットな簡単な構成で可能である。よって、小物入れ７のスペースの有効活用ができる食器洗い機を提供することができる。【選択図】図１
2008061855.tif 000002
【特許請求の範囲】
【請求項１】
洗浄槽と、前記洗浄槽内に配され食器類を収納するカゴと、小物類を収納する小物入れを備え、前記小物入れの上面に開口部と載置部を設けた食器洗い機。
【請求項２】
載置部を傾斜させた請求項１に記載の食器洗い機。
【請求項３】
載置部に上方向に突出する突起部を設けた請求項１または２に記載の食器洗い機。
【発明の詳細な説明】
【技術分野】
【０００１】
本発明は、食器類や、スプーン、フォーク、箸等のカトラリーの小物などの被洗浄物に洗浄水を噴射して洗浄する食器洗い機に関するものである。
【背景技術】
【０００２】
従来の一般的な食器洗い機は、図４、５に示すように構成されていた（例えば、特許文献１参照）。以下、その構成について説明する。
【０００３】
図４は、上記特許文献１に開示された従来の食器洗い機の側断面図、図５は、同食器洗い機の正面図である。
【０００４】
図４に示すように、従来の食器洗い機は、前面に開口部１ａをもつ洗浄槽１と、開口部１ａを開閉する扉体２と、洗浄槽１の底部中央に設けられ洗浄水を噴射するノズル３と、洗浄槽１内に配され食器類１０がセットされるカゴとなる上段カゴ４と下段カゴ５などから構成されている。扉体２を開けているときには、下段カゴ５は、扉体２と洗浄槽１との間を前後方向に引き出し移動可能である。上段カゴ４は、前後方向に移動可能な洗浄槽１内の壁面に設けられたレール部６によって、支持されている。
【０００５】
また、下段カゴ５上の中央付近には、スプーン、フォーク、箸等のカトラリーの小物を入れる小物入れ７が固定して設けられ、洗浄槽１の底部には、洗浄水を加熱するヒータ８が、洗浄槽１の下部の外側には、洗浄ポンプ９がそれぞれ設けられている。洗浄槽１内の下部には排水口１２が設けられている。
【０００６】
また、ヒータ８は、洗浄水を加熱するとともに、送風手段１３によって送風される空気を加熱するよう洗浄槽１の内面の底部に配設されている。送風手段１３は、洗浄槽１の外面の底部に設けられると共に、洗浄槽１の内面の下部に設けた送風口１４に連通している。
【０００７】
１５は、洗浄槽１内の空気を排出するための排気口で、洗浄槽１の開口部１ａより下側の扉体２の上方に設けられ、送風手段１３による強制排気が扉体２の前面から排出するよう構成されている。
【０００８】
また、図５は、小物入れ７を下段カゴ５にセットした状態を示しており、小物入れ７は、棒状の線材で構成された下段カゴ５の上に置かれ、その両端が、棒状の線材５ａで固定されている。
【０００９】
また、図６は小物入れ７の斜視図で、小物入れ７の上面は小物類１１をセットするための開口部１６を有している。
【００１０】
次に、上記従来の食器洗い機の動作について説明する。
【００１１】
先ず、扉体２を開き、扉体２上に下段カゴ５を手前に引き出して、食器類１０と小物入れ７に小物類１１をセットする動作と、上段カゴ４を、前方に引き出して食器類１０をセットする動作を行う。そして、食器洗い機の運転を開始すると、洗浄槽１内の洗浄水は、ヒータ８によって温水化され、洗浄ポンプ９にて洗浄槽１内の排水口１２から吸い込まれ、ノズル３に圧送され、ノズル３から勢いよく上段カゴ４、下段カゴ５に収納された食器類１０及び小物入れ７に収納された小物類１１に噴射される。
【００１２】
なお、ノズル３は回転しながら、洗浄水を噴射する。このようにして、上段カゴ４、下段カゴ５にセットされた食器類１０、小物入れ７にセットされた小物類１１が洗浄される。
【００１３】
その後、食器類１０をすすぐ、すすぎ行程を行う。次に、送風手段１３を駆動することによって、送風口１４から乾いた空気が洗浄槽１内に圧送され、洗浄槽１内の湿った空気は排気口１５より洗浄槽１外に排出され、同時に、洗浄槽１内に圧送された空気は、ヒータ８によって加熱され、その温風が食器類１０の間を通り、食器類１０に付着している水滴を蒸発させ、また食器類１０を直接加熱し、食器類１０を温め乾かす乾燥行程を行い、運転を終了する。
【特許文献１】特開２００２−３００９９６号公報
【発明の開示】
【発明が解決しようとする課題】
【００１４】
しかしながら、上記従来の食器洗い機の構成では、小物入れ７は下段カゴ５に固定されているので、スプーン、フォーク、箸等のカトラリーの小物類の洗浄するものがない場合、小物入れのセットスペースには食器類がセットできないので、スペースの無駄になっていた。
【００１５】
本発明は、上記従来の課題を解決するもので、小物入れに、スプーン、フォーク、箸等のカトラリーの小物類をセットしない場合、小物入れにも食器類をセットできるようにし、スペースを有効活用をした食器洗い機を提供するものである。
【課題を解決するための手段】
【００１６】
上記従来の課題を解決するために、本発明の食器洗い機は、洗浄槽と、前記洗浄槽内に配され食器類を収納するカゴと、小物類を収納する小物入れを備え、前記小物入れの上面に開口部と載置部を設けたもので、使用者が小物入れに小物類をセットしようとするとき、開口部から小物類を入れて、従来通り小物類がセットでき、小物類をセットしない場合、使用者は、小物入れの上面に設けた載置部に食器類をセットできるものである。なお、食器類を載置部に伏せ置きすれば、載置部はフラットな簡単な構成で可能である。よって、小物入れのスペースの有効活用ができる食器洗い機を提供することができる。
【発明の効果】
【００１７】
本発明の食器洗い機は、小物類をセットしない場合、小物入れの載置部に食器類をセットできるので、小物入れのスペースの有効活用ができるものである。
【発明を実施するための最良の形態】
【００１８】
第１の発明は、洗浄槽と、前記洗浄槽内に配され食器類を収納するカゴと、小物類を収納する小物入れを備え、前記小物入れの上面に開口部と載置部を設けたもので、使用者が小物入れに小物類をセットしようとするとき、開口部から小物類を入れて、従来通り小物類がセットでき、小物類をセットしない場合、使用者は、小物入れの上面に設けた載置部に食器類をセットできるものである。なお、食器類を載置部に伏せ置きすれば、載置部はフラットな簡単な構成で可能である。よって、小物入れのスペースの有効活用ができる食器洗い機を提供することができる。
【００１９】
第２の発明は、特に、第１の発明の載置部を傾斜させたもので、湯呑などの糸底のある食器類を載置部に伏せ置きしてセットした時、糸底に溜まる水滴を少なくできるので、湯呑などの糸底のある食器類の乾燥性能を向上させることができる。
【００２０】
第３の発明は、特に、第１または第２の発明の載置部に、上方向に突出する突起部を設けたもので、載置部が傾斜している場合、湯呑、コップ等の食器類を伏せ置きしても、突起部により食器類が滑らないようにしっかり固定できるものである。また、突起部を複数設けた構成にすれば、椀類、皿類の食器類のセットも容易にできるものである。
【００２１】
以下、本発明の実施の形態について、図面を参照しながら説明する。なお、この実施の形態によって本発明が限定されるものではない。
【００２２】
（実施の形態１）
図１は、本発明の第１の実施の形態における食器洗い機の側断面図、図２は、同食器洗い機の小物入れの斜視図である。尚、上記従来の食器洗い機と同一部分については、同一符号を付してその説明を省略する。
【００２３】
図１、２において、本実施の形態における食器洗い機は、洗浄槽１内に食器類１０を収納するカゴとして上段カゴ４と下段カゴ５を有すると共に、スプーン、フォーク、箸等のカトラリーの小物類１１を収納する小物入れ７の上面に開口部２０と載置部２１を設けたものである。さらに、小物入れ７の上面に設けた載置部２１は傾斜しており、その載置部２１の低い方の端に上方向に突出する複数の突起部２２を設けている。
【００２４】
次に、上記のように構成された食器洗い機の小物入れ７の動作について説明する。
【００２５】
小物類１１を収納する小物入れ７の上面に開口部２０と載置部２１を設けているので、使用者は、小物入れ７に小物類１１をセットする時は、開口部２０より小物類１１を入れることで、従来通り小物類１１をセットでき、小物類１１をセットしない場合、使用者は、小物入れ７の上面に設けた載置部２１に食器類１０をセットできるものである。なお、食器類１０を載置部２１に伏せ置きすれば、載置部２１は、フラットな簡単な構成で可能である。
【００２６】
また、小物入れ７の上面の載置部２１を傾斜させているので、湯呑などの糸底のある食器類１０を載置部２１に伏せ置きしてセットした時、糸底に溜まる水滴を少なくでき、湯呑などの糸底のある食器類１０の乾燥性能を向上させることができる。
【００２７】
また、小物入れ７の上面に設けた載置部２１の低い方の端に、上方向に突出する突起部２２を設けたことにより、載置部２１が傾斜している場合でも、湯呑、コップ等の食器類１０を伏せ置きしても、突起部２２により食器類１０が滑らないようにしっかり固定できるものである。
【００２８】
また、図３に示すように、突起部２２を載置部２１の傾斜に沿って複数列設けた構成にすれば、椀類、皿類の食器類１０のセットも容易にできる小物入れ７も提供できるものである。
【００２９】
なお、小物入れ７の開口部２０にフタ（図示せず）を設ければ、その部分も載置部２１として用いることができるが、小物類１１をセットしようとするとき、フタを開けないといけないので、セット性が悪くなる。よって、本実施の形態のような開口部２０を持つ構成が望ましい。
【００３０】
以上のように、本実施の形態によれば、簡単な構成で、小物入れ７のスペースの有効活用ができるもので、スペースを有効活用した食器洗い機を提供できる。
【産業上の利用可能性】
【００３１】
以上のように、本発明に係る食器洗い機は、安価な構成で、食器類、小物類等のセット性に優れたもので、家庭用、業務用の各種食器洗い機に広く適用できるものである。
【図面の簡単な説明】
【００３２】
【図１】本発明の実施の形態１における食器洗い機の側断面図
【図２】同食器洗い機の小物入れの斜視図
【図３】同小物入れの本実施の形態の別の例の斜視図
【図４】従来の食器洗い機の側断面図
【図５】同食器洗い機の正面図
【図６】同食器洗い機の小物入れの斜視図
【符号の説明】
【００３３】
１  洗浄槽
４  上段カゴ（カゴ）
５  下段カゴ（カゴ）
７  小物入れ
１０  食器類
１１  小物類
２０  開口部
２１  載置部
２２  突起部
【図１】
2008061855.tif 000003
【図２】
2008061855.tif 000004
【図３】
2008061855.tif 000005
【図４】
2008061855.tif 000006
【図５】
2008061855.tif 000007
【図６】
2008061855.tif 000008